(57)【要約】      （修正有）【課題】財布等から取り出しやすく、保持する際に取り落としを防ぐといった、利便性に優れた情報記憶カードを提供する。【解決手段】主として読取機にかざして非接触で読み書きをおこなう情報記憶カード１において、貫通孔１０を指掛け部として備える。情報記憶カード１の利用者は、財布やカードケース内の所望のカードに沿って指を差し入れ、指掛け部である貫通孔１０に指を引っかけてカードを引き出す。そのため、貫通孔１０の面積は、少なくとも指を差し入れることのできる大きさである、２００ｍｍ２以上（例えば２００ｍｍ２〜２４００ｍｍ２）とすることが望ましい。当然ながら、貫通孔１０は該面積に限定されない。【選択図】図１
0003179414.tif 000002
【実用新案登録請求の範囲】
【請求項１】
商取引に使用する情報記憶カードであって、貫通孔を指掛け部として備えることを特徴とする情報記憶カード。
【請求項２】
請求項１に記載の情報記憶カードであって、
前記貫通孔は、面積が少なくとも２００ｍｍ２であることを特徴とする情報記憶カード。
【請求項３】
請求項１又は２に記載の情報記憶カードであって、
前記貫通孔の一部を当該情報記憶カードの外側に向かって開放可能に形成することを特徴とする情報記憶カード。
【請求項４】
請求項１〜３のいずれか一項に記載の情報記憶カードであって、
外周四辺を、当該情報記憶カードの中心に向かって弧を形成する曲線により構成することを特徴とする情報記憶カード。
【請求項５】
請求項１〜４のいずれか一項に記載の情報記憶カードであって、
少なくとも一辺に対して筋状の部材を付加して掛止部とすることを特徴とする情報記憶カード。
【請求項６】
請求項１〜５のいずれか一項に記載の情報記憶カードであって、
前記貫通孔の周囲を、ゴム又はエラストマーで構成することを特徴とする情報記憶カード。
【請求項７】
請求項１〜６のいずれか一項に記載の情報記憶カードであって、
角部を半径５ｍｍ以上２０ｍｍ以下の曲線で構成することを特徴とする情報記憶カード。
【請求項８】
請求項１〜７のいずれか一項に記載の情報記憶カードであって、
当該情報記憶カードと情報を交換する読取機への吸い込み防止のための機構として、
凸部、孔部又は吸い込み防止のための情報を搭載した情報搭載部を備えることを特徴とする情報記憶カード。
【考案の詳細な説明】
【技術分野】
【０００１】
本考案は、主に商取引に使用する情報記憶カードに関する。
【背景技術】
【０００２】
現在、商取引においてカードを使用することが一般的に行われている。この際に用いられるカードには、例えばクレジットカード、デビットカード、プリペイドカード、ポイントカード、データ収集カードなどがある。ほかに、間接的に商取引に利用可能なカードとして、会員カード、保険証カードや住民登録カード、免許証などがあり、様々な情報が記録されている。
【０００３】
これらのカードは、当初磁気カードを中心として普及したが、現在はＩＣ（集積回路）等を内蔵した非接触式のカードが主流となりつつある。
【０００４】
現在、利用者はこれらのカードを利用するにあたり、カードを財布やカードケース等に入れて持ち歩き、利用時に財布からカードを抜き出して利用する。カードの形は極めて限定的で、表面が滑らかなため、財布から取り出す際には手が滑り、取り出しづらく不便である。また、取り出した後も落としやすいという問題があった。特に高齢者などにとっては、細かい手先の動作を必要とするカードの取り出しは難しく、また取り落としやすかった。
【０００５】
一方、カード収容ケースに穴を設け、カードを取り出す際にカードを送り出すよう構成するカードケースや、カードケースの穴の部分に対応するカード側の箇所にリブを設け、リブに指を掛けてカードケースから送り出すように構成したカードがある。
また、カードの縁付近に指を掛止するリブを設けた技術が開示されている。
【先行技術文献】
【特許文献】
【０００６】
【特許文献１】登録実用新案第３０２９２９４号
【特許文献２】特開平１１−８５９３３号公報
【考案の概要】
【考案が解決しようとする課題】
【０００７】
しかし、穴の開いたカードケースからカードを取り出す技術については、カードケースから取り出しやすいカードは、穴から直接触れることのできるカードに限られている。また、カードケースからカードを送り出す際は、手のひらでケースを保持しつつ、同じ側の手の親指で穴からカードを送り出す動作を行うが、このような動作は、細かい手作業を苦手とする高齢者には困難であり、ストレスとなる。
【０００８】
さらに、カードにリブを設ける技術については、収納性を高めるため薄く形成されているカードに用いる場合には、指を掛けるためのリブの深さに限度がある。
【０００９】
本考案は、上記の点に鑑みてなされたものであって、財布等から取り出しやすく、保持する際に取り落としを防ぐといった、利便性に優れた情報記憶カードの提供を目的とする。
【課題を解決するための手段】
【００１０】
上記課題を解決するために、本考案の情報記憶カードは、商取引に使用する情報記憶カードであって、貫通孔を指掛け部として備えることを特徴とする。
【００１１】
また、上記課題を解決するために、本考案の情報記憶カードにおける前記貫通孔は、面積が少なくとも２００ｍｍ２であることを特徴としてもよい。
【００１２】
また、上記課題を解決するために、本考案の情報記憶カードは、前記貫通孔の一部を当該情報記憶カードの外側に向かって開放可能に形成してもよい。
【００１３】
また、上記課題を解決するために、本考案の情報記憶カードは、外周四辺を、当該情報記憶カードの中心に向かって弧を形成する曲線により構成してもよい。
【００１４】
また、上記課題を解決するために、本考案の情報記憶カードは、少なくとも外側の一辺に対して筋状の部材を付加して掛止部としてもよい。
【００１５】
また、上記課題を解決するために、本考案の情報記憶カードは、前記貫通孔の周囲を、ゴム又はエラストマーで構成してもよい。
【００１６】
また、上記課題を解決するために、本考案の情報記憶カードは、角部を少なくとも半径５ｍｍ以上１０ｍｍ以下の曲線で構成してもよい。
【００１７】
また、上記課題を解決するために、本考案の情報記憶カードは、当該情報記憶カードと情報を交換する読取機への吸い込み防止のための機構として、凸部、孔部又は吸い込み防止のための情報の搭載がなされていることを特徴としてもよい。
【考案の効果】
【００１８】
本考案によれば、財布等から取り出しやすく、保持する際に取り落としを防ぐといった、利便性に優れた情報記憶カードを提供することができる。
【図面の簡単な説明】
【００１９】
【図１】第１の実施形態における情報記憶カードの外観を示した図である。
【図２】第１の変形例における情報記憶カードの外観を示した図である。
【図３】第２の変形例における情報記憶カードの外観を示した図である。
【図４】第２の実施形態における情報記憶カードの外観を示した図である。
【図５】第３の実施形態における情報記憶カードの外観を示した図である。
【図６】第４の実施形態における情報記憶カードの外観を示した図である。
【考案を実施するための形態】
【００２０】
以下、本考案の各実施形態の例について図面を用いて説明する。
【００２１】
＜第１の実施形態＞
図１は、第１の実施形態における情報記憶カードを示した図である。図１(a)は、本実施形態における情報記憶カード１の上面図であり、図１(b)は情報記憶カード１の使用例を示した図である。図１(a）に示すように、情報記憶カード１は、貫通孔１０を指掛け部として備える。
【００２２】
情報記憶カード１は、磁気カード、ＩＣカード等、カードの基体に電磁的な記憶手段を搭載するカードであるが、直接に文字を書き込んだり、印刷等によって情報を書き込み、又は刻印するものであってもよい。
【００２３】
従来の情報記憶カードは、機械に挿入して情報を読み取る、または書き込むことを想定しているため、大きさや形が規格化されている。しかし、現在では、読み取りまたは書き込みに用いられる機器については、カードを挿入することなく、無線通信等により情報を交換する非接触型の機器が主流となりつつある。そのため、機器への挿入に拘束されず、利用者が利用しやすい形状でカードを構成する技術が望まれる。
【００２４】
情報記憶カード１の利用者は、財布やカードケース内の所望のカードに沿って指を差し入れ、指掛け部である貫通孔１０に指を引っかけてカードを引き出す。そのため、貫通孔１０の面積は、少なくとも指を差し入れることのできる大きさである、２００ｍｍ２以上（例えば２００ｍｍ２〜２４００ｍｍ２）とすることが望ましい。当然ながら、貫通孔１０は該面積に限定されない。
【００２５】
従来は、カードの券面に指先を押し当て、カードを押圧しつつ摩擦力によってカードを引き出していた。情報記憶カード１においては、貫通孔１０に指を差し入れ、貫通孔１０の縁に力を加えることにより、利用者は簡単に所望のカードを引き出すことができる。特に、狭い財布のポケットに対して多くのカードが挿入されている際には、利用者は容易にカードを引き出すことができる。
【００２６】
情報記憶カードの利用者は、財布等からカードを抜き出した後、自動改札等の非接触型の読取機に、抜き出したカードをかざす動作を行うのが一般的である。本発明における情報記憶カード１を抜き出した利用者は、図１(b)に示すように、指掛け部に指を掛けながら読取機にカードを提示する。この実施形態により、カード利用時のカードの取り落としを防ぐことができる。
【００２７】
また、貫通孔１０にキーホルダー等を通すことにより、カバンに直接情報記憶カード１を付するなど、様々な利用形態に対応することができる。
【００２８】
図２は、第１の変形例における情報記憶カードの外観を示した図である。図２(a)は、第１の変形例における情報記憶カード１の上面図であり、図２(b)は第１の変形例における情報記憶カード１の使用例を示した図であり、図２(c)は第２の変形例における情報記憶カードについて、貫通孔１０の周囲に弾性体１２を付加した図である。
【００２９】
図２(a）に示すように、第１の変形例における情報記憶カード１は、外周四辺をなめらかな曲線である把持部１１で形成している。把持部１１は、情報記憶カード１の中心に向かって弧を形成するよう構成している。情報記憶カード１を、手のひらになじむよう、へこみを加えた形状で構成することにより、情報記憶カード１を保持する際に手から取り落とすことを防ぐ。
【００３０】
利用者は情報記憶カード１の貫通孔１０に指を差し入れ、情報記憶カード１を財布から取り出す。その後、図２(b)に示すように、利用者は把持部１１を握るようにして情報記憶カード１を保持し、読取機にカードを提示する。カード周辺をなめらかな曲線である把持部１１で形成することにより、情報記憶カード１が手から滑り落ちることを防ぐことができる。
【００３１】
また、情報記憶カード１の縁が曲線で形成されているため、財布に収納されている場合に、財布と接触しているのは、縁を形成する曲線が隆起した一部分に限られる。カードの縁と財布とが直線状に接触している従来のカードに比べて、接触する部分が著しく少ないため、財布から抜き出しやすく、また収容しやすい。
【００３２】
さらに、カード側面の中央部が窪んだ形状をしているため、複数の情報記憶カード１をまとめてゴムバンド等の紐状の留め具で留めることにも適している。このような形態で携帯すれば、カードを取り出しやすく、また収納も容易に行える。
【００３３】
なお、第１の実施形態において、貫通孔１０の周囲にゴム又はエラストマーを設け、貫通孔１０に指をかける際の指への刺激を軽減することができる。図２(c)は、第１の実施形態での第２の変形例において、貫通孔１０の小口を覆うようにゴム又はエラストマーを形成した弾性部１２を有する情報記憶カード１を示す図である。
【００３４】
弾性部１２を設けることにより、貫通孔１０の切り口で指を怪我することを防ぐことができる。また、情報記憶カード１の強度も増す効果がある。図２(c)では小口付近のみを弾性部１２で覆う形状を図示しているが、弾性部１２は、小口を含めカード面までを幅広く覆う形状としてもよい。
【００３５】
図３は、第２の変形例における情報記憶カードの外観を示した図である。図３(a)は、第２の変形例における情報記憶カード１の上面図であり、図３(b)は第２の変形例における情報記憶カード１の貫通孔１０をより大きく形成した場合の、情報記憶カード１の上面図である。
【００３６】
図３(a)に示すように、第２の変形例における情報記憶カード１は、従来のカードに比べより緩やかな曲線からなる角部１３を備える。従来の情報記憶カードは、角部に多少丸みがあるものの、手に対し刺激を覚える場合があった。第２の変形例における情報記憶カード１は、角部１２を少なくとも半径５ｍｍ以上（例えば５ｍｍ〜２０ｍｍ）の曲線で構成することにより、より持ちやすい形状となっている。
【００３７】
また、第２の変形例における情報記憶カード１は、側面を形成する直線部分が従来のカードに比べて短いため、カードを収納する財布等と接触する部分が少ないことから、取り出しやすく、収納しやすい形状となっている。
【００３８】
一方で、カードケース等と接触する部分が少ないことから、カードケースの容量によっては、情報記憶カード１が抜け落ちる恐れが生じる。この点については、カードケース側の、貫通孔１０に相当する部分に凸部を設け、滑り落ちる情報記憶カード１を掛止することにより、抜け落ちを防ぐことができる。このような形状のカードケースを用いれば、情報記憶カード１が貫通孔１０を備えることで、より確実にカードを収納することができる。
【００３９】
第２の変形例における情報記憶カード１は、図３(b)に示すように、貫通孔１０をより大きく形成してもよい。この場合、例えば貫通孔１０を情報記憶カード１の中央に形成し、かつ該情報記憶カード１の相似形となる大きさに形成することができる。貫通孔１０に複数の指を入れれば、財布等からカードが抜き出しやすく、また保持する際にはより把持しやすい。
【００４０】
なお、第１の実施形態においても、貫通孔１０の周囲にゴム又はエラストマーを設けることにより、貫通孔１０の小口から生じる指への刺激を軽減することができ、さらに取り出しやすさが向上することは、いうまでもない。
【００４１】
＜第２の実施形態＞
次に、第２の実施形態における情報記憶カード２について説明する。図４は、第２の実施形態における情報記憶カードの外観を示した図である。図４(a)に示すように、第２の実施形態における情報記憶カード２は、貫通孔２０を備える。以下、第１の実施形態と異なる部分について説明する。
【００４２】
情報記憶カード２は、貫通孔２０を情報記憶カード２の外側に向かって開放する可動部２３と、ヒンジ部２４とを備える。ヒンジ部２４は内部にねじりばね等のばねを備え、可動部２３に所定の力を加えたときにのみ貫通孔２０が開口するよう構成してもよい。
【００４３】
第２の実施形態における情報記憶カード２は、読取機にカードを挿入する場合において、読取機が強制的にカードを吸い込むものであっても、指の損傷を防止することができる。カードを読取機に挿入する際に、誤って貫通孔２０に指を掛けたままであっても、可動部２３が開口することにより、指は貫通孔２０から離れるので、指を怪我することがない。
【００４４】
財布等から情報記憶カード２を抜き出す場合には、貫通孔２０に指を掛ける。その際、第１の実施形態と同様、貫通孔２０の可動部２３側の縁に力を加え、縁に指を引っ掛けたまま情報記憶カード２を引き出してもよいし、図４(b)に示すように、可動部２３を開口させ、突出した可動部２３をつまんで情報記憶カード２を引き出してもよい。
【００４５】
可動部２３が開口して財布から突出することにより、利用者は財布から突出した可動部２３を目視してカードを確認することができる。また、突き出た可動部２３をつまんで引き出すことで、容易に所望のカードを引き出すことができる。
【００４６】
なお、情報記憶カード２についても、貫通孔２０の周囲にゴム又はエラストマーを設け、小口から指を保護することができることはいうまでもない。
【００４７】
＜第３の実施形態＞
次に、第３の実施形態における情報記憶カード３について説明する。図５は、第３の実施形態における情報記憶カードの外観を示した図である。情報記憶カード３は、貫通孔３０のほか、外周四辺のうち少なくとも一辺について、指を掛ける掛止部３５または掛止部３７を備える。以下、上述の実施形態と異なる部分について説明する。
【００４８】
図５(a)及び図５(b)に示すように、情報記憶カード３の掛止部３５は、情報記憶カード３の一辺と平行する筋状の部材からなる。筋状の部材は、情報記憶カード３に固定するためのイボ状の突起を備えている。情報記憶カード３は、掛止部３５の部材を固定するための留孔３６を備える。掛止部３５を構成する部材が備えるイボ状の突起と、情報記憶カード３が備える留孔３６とが嵌合することで、掛止部３５が情報記憶カード３に固定される。
【００４９】
図５(c)及び図５(d)は、掛止部を備える情報記憶カード３の変形例を示す。情報記憶カード３は掛止部３７を備える。掛止部３７は、掛止部３５と同様に情報記憶カード３の一辺と平行する筋状の部材からなり、該部材は、情報記憶カード３に固定するためのイボ状の突起を備える。該部材は、情報記憶カード３の一辺を覆うよう形成されており、情報記憶カード３の備える留孔３８とイボ状の突起とが嵌合することにより、情報記憶カード３に固定される。
【００５０】
第３の実施形態による情報記憶カード３は、貫通孔３０のほかに掛止部を備えるため、情報記憶カードを財布から抜き出す際に、掛止部に指を掛けて力を加えることにより、従来のカードに比べて簡単かつ確実にカードを抜き出すことができる。また、情報記憶カード３を財布から抜き出した後、読取機に提示するなどの利用に際しても、掛止部によって手指が支持されるため、カードの把持に余分な力を必要としない。また把持の際にカードが手から滑り落ちるのを防ぐことができる。
【００５１】
なお、第１、第２の実施形態と同様に、貫通孔３０の周囲をゴムまたはエラストマーで形成することができることはいうまでもない。また、掛止部３５及び掛止部３７の素材は限定されないが、ゴムまたはエラストマーで形成することによって、手指の滑りを軽減することができる。
【００５２】
＜第４の実施形態＞
次に、第４の実施形態における情報記憶カード４について説明する。図６は、第４の実施形態における情報記憶カードの外観を示した図である。第４の実施形態における情報記憶カード４は、貫通孔４０と吸込み防止機構とを備える。以下、上述の実施形態と異なる部分について説明する。
【００５３】
情報記憶カードを挿入するタイプの読取機である読取機１００に対し、指掛け部である貫通孔に指を掛けたまま情報記憶カードを挿入した場合、貫通孔の縁で指を負傷する恐れがある。第４の実施形態における情報記憶カード４は、該事象を予防するため、読取機１００に当該カードを吸い込ませないようにする吸い込み防止機構を備える。
【００５４】
図６(a)は第４の実施形態における情報記憶カード４の一例を示す。情報記憶カード４は、吸込み防止機構として、凸部４１を備える。凸部４１を備える情報記憶カード４は、読取機１００の挿入口の高さよりも厚みがあるため、挿入口につかえてしまい読取機１００に入らない。つまり、凸部４１の存在により、情報記憶カード４の読取機１００への挿入が物理的に妨げられる。
【００５５】
この構成より、情報記憶カード４が読取機１００に吸い込まれるのを防ぐことができる。なお、凸部４１は、情報記憶カード４に対して突起していればよく、別部材の貼付、裏面からの打ち出し等、形成方法は問わない。
【００５６】
図６(b)は、第４の実施形態における情報記憶カード４の変形例を示す図である。情報記憶カード４は、吸込み防止機構として、孔４２又は情報搭載部４３を備える。情報記憶カード５は、孔４２及び情報搭載部４３のうちいずれか一方を備えればよいが、双方を備えるものであってもよい。
【００５７】
情報記憶カード４が孔４２を備えるものである場合、読取機１００は挿入された情報記憶カード４が備える孔４２を検知するよう構成される。読取機１００は、孔４２を検知した場合、当該情報記憶カードは貫通孔４０を備えるものであるとして、カードの吸込みを中止する。これにより、本実施形態における情報記憶カード４が読取機１００に吸い込まれることを防ぐことができる。
【００５８】
又は、読取機１００は、情報搭載部４３を検知するよう構成される。情報搭載部４３は、ある特定の色で彩色されており、読取機１００は彩色された色を検知するよう構成されている。読取機１００は、情報搭載部４３に彩色された色を検知すると、挿入された情報記憶カード４が貫通孔４０を備えるものであるとして、情報記憶カード４の吸込みを中止する。
【００５９】
情報搭載部４３は、又は当該情報記憶カード４が読取機１００に対応しないことを示す情報を、磁気又はＩＣチップ等の記憶媒体に記憶させたものであってもよい。読取機１００は、挿入された情報記憶カード４に搭載された情報搭載部４３から情報を読み取り、挿入された情報記憶カード４が貫通孔４０を備えるものであるとして、情報記憶カード４の吸込みを中止する。
【００６０】
なお、凸部４１、孔４２、情報搭載部４３の数、形状及び形成箇所は、図６(a)及び(b)に示すものに限定されないことは言うまでもない。
【００６１】
以上、各実施形態に基づき本考案の説明を行ってきたが、上記実施形態に示した要件に本考案が限定されるものではない。これらの点に関しては、本考案の主旨をそこなわない範囲で変更することができ、その応用形態に応じて適切に定めることができる。
【００６２】
また、各実施形態は、それぞれの特徴を組み合わせることができる。上述のいずれかの実施形態の情報記憶カードが、他の実施形態の特徴を併せ持つものであってもよい。
【００６３】
付言すれば、各実施形態における貫通孔の位置、大きさ、形状、形成箇所についても、上述の実施形態に限定されず、本考案の主旨をそこなわない範囲で適宜変更することができる。
【符号の説明】
【００６４】
１・・・情報記憶カード、２・・・情報記憶カード、３・・・情報記憶カード、４・・・情報記憶カード、
１０・・・貫通孔、１１・・・把持部、１２・・・弾性部、１３・・・角部、
２０・・・貫通孔、２３・・・可動部、２４・・・ヒンジ部、
３０・・・貫通孔、３５・・・掛止部、３６・・・留孔、３７・・・掛止部、３８・・・留孔、
４０・・・貫通孔、４１・・・凸部、４２・・・孔、４３・・・情報搭載部、１００・・・読取機
【図１】
0003179414.tif 000003
【図２】
0003179414.tif 000004
【図３】
0003179414.tif 000005
【図４】
0003179414.tif 000006
【図５】
0003179414.tif 000007
【図６】
0003179414.tif 000008